(57)【特許請求の範囲】
【請求項１】
瓶口部にパッキングを介して装着された合成樹脂製のキャップであって；該キャップの頂壁の内面に前記パッキングを押圧する環状突起を設け、
該パッキングの上面に前記環状突起に押圧される凹凸リングを設け、
瓶容器内の空気が膨張して内圧が発生し、該パッキングが押し上げられると、
該凹凸リングの切欠き部に対応しているシール力の弱い部分から空気が外部に逃げるように形成されたことを特徴とするキャップ。
【請求項２】
頂壁の内面の中央部に、パッキングの変位を規制するセンタボスが設けられていることを特徴とする請求項1記載のキャップ。
【請求項３】
パッキングの下面に中脚が設けられていることを特徴とする請求項１記載のキャップ。
【請求項４】
中脚に空気逃がし手段が設けられていることを特徴とする請求項３記載のキャップ。
【発明の詳細な説明】
【０００１】
【発明の属する技術分野】
この発明は、日本酒等を収納する瓶容器等のキャップに関するものである。
【０００２】
【従来の技術】
日本酒等は、広口の瓶容器に収納され、その瓶口部には、キャップが螺着されている。このキャップは、パッキングを介して瓶口部に装着され、該容器を気密にシールしている。
【０００３】
【発明が解決しようとする課題】
従来例のキャップは、気密性が良いので、日本酒の入った容器を電子レンジで暖めて熱燗にすると、容器内の空気が膨張し内圧が上昇する。そのため、キャップが外れてしまうことがある。
そこで、内圧を逃がすために気密性を低下させることが考えられるが、この様にすると、外部から雑菌が侵入したり、容器を傾けたときに酒がこぼれてしまうことがある。
【０００４】
この発明は、上記事情に鑑み、容器の内圧が異常上昇するのを防止することを目的とする。他の目的は、常温での気密性を良好に維持することである。
【０００５】
【課題を解決するための手段】
この発明は、次のことを特徴とする。
【０００６】
この発明は、瓶口部にパッキングを介して装着された合成樹脂製のキャップであって；該キャップの頂壁の内面に前記パッキングを押圧する環状突起を設け、該パッキングの上面に前記環状突起に押圧される凹凸リングを設け、瓶容器内の空気が膨張して内圧が発生し、該パッキングが押し上げられると、該凹凸リングの切欠き部に対応しているシール力の弱い部分から空気が外部に逃げるように形成されたことを特徴とする。
【０００７】
【発明の実施の形態】
本発明者は、パッキングを全周にわたって均一に押圧すると、シール性が良くなる反面、容器内の空気が膨張して内圧が高まっても、該空気が外部に逃げられないことに着眼した。そこで、パッキングの押圧力を不均一にし、内圧が高くなったときには、押圧力の弱い部分から該空気が逃げられるようにした。
【０００８】
パッキングを押圧する手段として、例えば、キャップの頂壁の内面に設けた間欠コンタクトリングや、パッキングの上面に設けた凹凸リング、が用いられる。なお、キャップの頂壁の内面中央部には、センタボスを設け、パッキングの変形を規制する。
【０００９】
【実施例】
この発明の第１実施例を図１〜図３により説明する。日本酒Ａの入った広口の瓶口部１には、ねじ式キャップ２が設けられている。このキャップ２は、ＰＰ（ポリプロピレン）等の合成樹脂により形成され、その頂壁３の内面４には、パッキング５を押圧する間欠コンタクトリング６と、センタボス７とが突設されている。
【００１０】
この間欠コンタクトリング６は、高さＨの円弧状の突起部６ａと切欠部６ｂとを備えている。この突起部６ａの高さＨ、数、大きさ、間隔等は、必要に応じて適宜選択される。
【００１１】
センタボス７は、頂壁３の内面４の中央に設けられて、その高さは前記突起部６ａの高さＨと同一に形成されている。
パッキング６は、ＰＥ（ポリエチレン）等の合成樹脂で形成され、瓶口部１の開口端を封鎖している。
【００１２】
頂壁３の外周端は、スカート１０に連続している。このスカート１０の内面は、前記瓶口部１のねじ部１ａに螺着している。
【００１３】
次に本実施例の作動について説明する。
パッキング５は、キャップ２の突起部６ａにより円周方向に間欠的に押圧され瓶口部１はシールされる。
しかし、シール力は均一ではなく、突起部６ａで押圧されて部分は強くシールされ、押圧されていない部分、即ち、切欠部６ｂに対応する部分は、シール力が弱い。なお、該パッキング５の上面中央部は、センタボス７に当接している。
【００１４】
この容器を電子レンジ等に入れて加熱し熱燗にすると、容器内の空気Ｋが膨張して内圧Ｐが発生し、パッキング５を押し上げるが、図３に示すように、容器内の空気Ａは、シール力の弱い部分、即ち、間欠コンタクトリング６の切欠部６ｂに対応している部分、から外部に逃げる。そのため、容器内の圧力は低下するので、キャップが外れたり、内容物が漏れたりするなどの問題は発生しない。
なお、パッキング５の中央部は、センタボス７により押さえられて変位を規制されるので、パッキング５の中央部が突状に変形することもない。
【００１５】
この発明の第２実施例を図４〜図６により説明する。
この実施例と第１実施例との相違点は、次の通りである。
（1)頂壁３の内面４に間欠コンタクトリングを設ける代わりに、環状突起１６を設けたこと。この環状突起１６は、例えば、前記間欠コンタクトリングの突起部の高さＨの半分に形成されている。
【００１６】
(2)パッキング１５の上面１５ａに凹凸リング１７が設けられていること。この凹凸リング１７は円弧状の突起部１７ａと切欠部１７ｂとを備えている。この突起部１７ａの高さは、前記環状突起１６の高さＨ／２と同一である。この突起部１７ａと切欠部１７ｂの数や大きさ、間隔等は必要に応じて適宜選択される。
【００１７】
(3)パッキング１５の下面１６ｂに、中脚１８を設けたこと。この中脚１８は、筒状体であり、瓶口部１の内面に当接している。
【００１８】
この実施例の作動を説明する。
パッキング１５は、その凹凸リング１７をキャップ２の環状突起１６に押圧され、瓶口部１をシールしている。しかし、シール力は均一ではなく、突起部１７ａで押圧されて部分は強くシールされ、押圧されていない部分、即ち、切欠部１７ｂに対応する部分は、シール力が弱い。なお、該パッキング５の上面中央部は、センタボス７に当接している。
【００１９】
この容器を電子レンジ等に入れて加熱し熱燗にすると、容器内の空気Ｋが膨張して内圧Ｐが発生し、パッキング１５を押し上げるが、図６に示すように、容器内の空気Ａは、シール力の弱い部分、即ち、凹凸リング１７の切欠部１７ｂに対応している部分、から外部に逃げる。そのため、容器内の圧力は低下するので、キャップが外れたり、内容物が漏れたりするなどの問題は発生しない。なお、パッキング１５の中央部は、センタボス７により押さえられ変位を規制されるので、パッキング５の中央部が突状に変形することもない。
【００２０】
この発明の第３実施例を図７により説明する。
この実施例と第２実施例（図４〜図６）との相違点は、中脚１８の上部に空気逃がし手段、例えば、逃げ孔３０を設けたことである。
この逃げ孔３０は、常温時には瓶口部１の内面に当接して封鎖されているので、瓶口部１は完全にシールされている。
しかし、瓶容器に内圧が発生してパッキング１５が押し上げられ１５Ａの位置になると、該逃げ孔３０は瓶口部１の上端面１Ｆから突出するので、瓶容器内の空気Ａは、該逃げ孔３０から外部に逃がされる。そのため、内圧が高くなるのを防止することができる。
なお、空気逃げ手段として、中脚１８の外周面に縦溝を設けても良い。この縦溝は、中脚１５の下端部から上端部の近傍まで形成され、封緘時には瓶口部１の内面に当接して閉鎖されているが、容器内圧が高まりパッキング１５が押し上げられると、瓶口部１の上端面から突出し、外部と連通する。
【００２１】
この発明の実施例は、上記に限定されるものではなく、例えば、この発明は、ねじ式キャップのみならず、他の方式のキャップ、例えば、スナップ式キャップに用いることができることは勿論である。
【００２２】
【発明の効果】
この発明は、以上のようにシールパッキングのシール力が全周にわたって均一でないので、容器内の圧力が高くなると、該パッキングが押し上げられ、該容器内の空気はシール力が弱い部分である凹凸リングの切欠き部から外部に逃げ出す。その為、容器内が高圧となることがない。又、常温においては、良好なシール力を維持することができる。
【図面の簡単な説明】
【図１】本発明の第１実施例を示す縦断面図である。
【図２】キャップの底面図である。
【図３】縦切断線が切欠部を通る縦断面図の一部を示す図である。
【図４】本発明の第２実施例を示す縦断面図である。
【図５】パッキングの底面図である。
【図６】縦切断線が切欠部を通る縦断面図の一部を示す図である。
【図７】本発明の第３実施例を示す縦断面図である。
【符号の説明】
１  瓶口部
２  キュアップ
３  頂壁
５  パッキング
６  間欠コンタクトリング
７  センタボス
【図１】
0004164849.tif 000002
【図２】
0004164849.tif 000003
【図３】
0004164849.tif 000004
【図４】
0004164849.tif 000005
【図５】
0004164849.tif 000006
【図６】
0004164849.tif 000007
【図７】
0004164849.tif 000008